(57)【要約】【課題】茸の発生部位を特定する培地カバーシート及びこの培地カバーシートを備えた栽培容器並びに培地カバーシート又は栽培容器を使用した茸栽培方法を提供すること。【解決手段】培地の表面を覆う培地カバーシート１であって、この培地カバーシート１は、光不透過又は光透過率の低いシート材からなり、このシート材に複数個の開孔２が形成され、開口２は所定の規則性を持って配列されており、茸の種類に対応して大きさが変更されている。【選択図】図１
2010000058.tif 000002
【特許請求の範囲】
【請求項１】
培地の表面を覆う培地カバーシートであって、
前記培地カバーシートは、光不透過又は光透過率の低いシート材からなり、前記シート材に複数個の開孔が形成されていることを特徴とする培地カバーシート。
【請求項２】
前記開孔は、所定の規則性を持って配列されていることを特徴とする請求項１に記載の培地カバーシート。
【請求項３】
前記開孔は、茸の種類に対応して大きさが変更されていることを特徴とする請求項１又は２に記載の培地カバーシート。
【請求項４】
前記シート材は、培地に固定する固定手段が設けられていることを特徴とする請求項１に記載の培地カバーシート。
【請求項５】
前記シート材は、薄肉のフィルム状シート又は所定の肉厚を有する板状体で形成されていることを特徴とする請求項１〜４のいずれかに記載の培地カバーシート。
【請求項６】
前記シート材は、樹脂フィルム、不織布、紙材、木材のいずれかで形成されていることを特徴とする請求項５に記載の培地カバーシート。
【請求項７】
請求項１〜６のいずれかに記載の培地カバーシートを備えた透過性材料からなることを特徴とする栽培容器。
【請求項８】
請求項１〜６のいずれかに記載の培地カバーシートを使用して、前記培地カバーシートで培地床の表面を覆った後に、定法の殺菌又は滅菌、接種、培養の工程を経て菌床を作成して、茸を栽培することを特徴とする茸栽培方法。
【請求項９】
請求項７に記載の栽培容器に、培地を充填して、前記培地の表面を前記培地カバーシートで覆った後に、定法の殺菌又は滅菌、接種、培養の工程を経て菌床を作成して、茸を栽培することを特徴とする茸栽培方法。
【発明の詳細な説明】
【技術分野】
【０００１】
この発明は、培地カバーシート及びこの培地カバーシートを備えた栽培容器並びに培地カバーシート又は栽培容器を使用した茸栽培方法に係り、さらに詳しくは、特に茸の発生部位を特定して栽培できる培地カバーシート及びこの培地カバーシートを備えた栽培容器並びに培地カバーシート又は栽培容器を使用した、特に椎茸栽培に好適な栽培方法に関するものである。
【背景技術】
【０００２】
伝統的な椎茸の人工栽培は、原木に種菌を植え込んで栽培する原木栽培が主流であったが、この原木栽培はその時々の気象条件並びに病害虫及び有害菌などの影響を受け易いために、安定した収穫が確保し難いことから、近年は、屋内において椎茸栽培に適合した環境を調えて、この環境下で栽培する菌床栽培へと移行して来ている。
この菌床栽培は、オガコなどの基材に米ぬかなどの栄養体を加えた培地を栽培袋に詰める工程、この袋詰めした培地（以下、「菌床」ともいう）を殺菌釜に入れて蒸気殺菌する工程、次いで、この培地に雑菌が入らないように冷却した後に種菌を接種する工程、続いて、温度、湿度などを調節しながら数週間掛けて培養する工程、その後、菌床を栽培袋から取出して、さらに温度、湿度などを調節して菌床を培養しながら茸を発生させる工程及び発生した茸を収穫する工程など経て栽培するようになっている。
この菌床栽培は、原木栽培に比べて、室内において温度、湿度などの条件を任意にコントロールでき、しかも病害虫或いは有害菌の影響を受け難くできるので、安定した収穫及び品質の高い茸を栽培できる利点がある。
【０００３】
この菌床栽培は、所定形状の栽培袋を使用して菌床を作るので、菌床は栽培袋体と略同じ形状となる。例えば、栽培袋に有底で角型の袋体を使用すると角柱状の菌床、或いは有底で円筒型の袋体を使用すると円柱状の菌床ができる。このような形状の菌床から茸が発生するが、その箇所は菌床の外表面、すなわち側面、肩部或いは上面から、多数本の茸が同時に或いは日をおいて、大小さまざまなものが所を選ばずランダムに発生する。そのために、発生した茸同士が互いにぶつかり合って変形し、或いはその大きさも大小混じった不揃いなものとなってしまい、収穫される茸は商品価値が劣ったものとなる。また、複数個の菌床を密着して配置すると、隣接した菌床から発生した茸がぶつかり合って変形するので、複数個の菌床は比較的広い間隔をあけて配置しなければならない。そのために、広大なスペース或いは棚などが必要になり、また、菌床の水及び温度などの管理も面倒になり、生産性及び作業効率が悪くなるなどの問題がある。
そこで、このような問題を解決するための栽培袋及びこの栽培袋を使用した栽培方法が提案されている（例えば、下記特許文献１〜３参照）。
【０００４】
例えば、下記特許文献１には、培地の上面から椎茸を発生させる栽培方法が開示されている。この椎茸栽培は、以下のイ〜ハを含んだ工程で栽培されている。
イ．直径８〜２０ｃｍ、高さ１０〜３０ｃｍの合成樹脂フィルム製縦長袋に椎茸用人工培地を収容する工程、
ロ． 培地上部中央に、深さ２〜８ｃｍ程度の呼吸穴を形成する工程、
ハ． 次いで、培地の上面部を完熟させ椎茸を発生させる時点で、長袋の上部を切取り開放
状態とする工程。
この椎茸栽培方法は、上記ロ工程において、培地上部中央に所定大きさの呼吸穴が形成されるので、この呼吸穴から培地の上部表面部分へ空気が供給される。その結果、培地の表面部分が集中的に早く完熟されて、この表面部分の椎茸の発生が早くなる。したがって、この栽培方法によると、培地の上面部から茸が発生するので、栽培、収穫が容易になる。勿論、側面から発生しないので、菌床を密着配置することも可能になる。
【０００５】
また、下記特許文献２にも、同様の培地上面から椎茸を発生させる栽培方法が開示されている。この椎茸栽培方法は、椎茸菌床栽培の培養完了後の発生工程において、栽培容器（栽培袋）の上部を取除いて、菌床上面のみを露出させ、その他の部分は菌床側面及び底面部部分との間に若干の隙間を保持させて栽培容器として残して、その隙間に間に注水することで菌床側面及び底面からの茸の発生を抑制し、菌床上面からのみ発生させる方法である。その具体的な方法として、以下の例が紹介されている。
横２０ｃｍ、縦１２ｃｍ、高さ１７ｃｍ、重量２７００ｇの培地を形成し、常法により殺菌、冷却、接種を行う。菌床の培養は２０℃±１℃で８０日間管理し、８１日目から８５日目までを２５℃とする。２５℃の環境で栽培袋上面を切取り、菌床同士の設置間隔を１ｃｍとして菌床側面と栽培袋フィルムの隙間に注水して、１日に１回の散水をしながら１５日間管理する。その後、温度を１５℃に低下させて、散水を３日に１回として茸の発生を行う。その結果、試験数１０００に対して、１菌床１世代当りの芽数で上面４７、側面１、底面０、合計４８、茸の平均個重２４ｇ、１菌床の平均発生量１１５２ｇとなった。
この椎茸栽培方法は、露出した菌床の上面が新鮮な空気に触れて、上部表面に準備されていた茸原基は適正な環境で茸へと成長し、側面及び底面の原基は菌床側面と袋の隙間に注入した水と接触させることで、その成長活動が抑制されているものである。
【０００６】
さらに、下記特許文献３にも、同様の培地上面から椎茸を発生させる栽培方法が開示されている。この椎茸栽培方法は、培養中又は培養完了後の工程において、栽培容器を取除いた露出状態の菌床を別の容器内に上面のみを開放した状態で収容し、菌床と容器間の隙間に水或いは水溶液を満たすことにより、菌床側面及び底面からのキノコの発生を抑制するようにした栽培方法である。具体的には、所定の縦、横及び高さを有するアクリル製の容器本体を用いて、この容器本体は、その上部四隅に弾力性のある菌床固定用支持体が斜め４５度の角度で取付けられ、さらに底部に所定高さの菌床設置台が所定間隔で２本取付けられている。この支持体は、本体に挿入される菌床が吸水により、浮上しないように抑制する機能を果すものとなっている。そして、この容器本体を用い、培養した菌床が袋から取出されて露出状態にして容器に収容され支持体で固定される。散水又は給水により水が供給されて、菌床と本体との隙間に満たされる。容器に菌床が配置された後は、毎日散水が行われ、培養完了後の温度管理は、朝晩は１３℃、日中は２０℃に室温が調整される。その結果、菌床の上面からのみキノコが発生されるようになっている。
【０００７】
【特許文献１】特開昭６３−２７６４２１号公報（明細書第２頁左欄上段及び同頁右欄上段、図１）
【特許文献２】特許第３０８７１７１号公報（段落〔００１３〕、〔００１４〕、図１）
【特許文献３】特開２００５−２０４６０４号公報（段落〔００１１〕、図３、図４）
【発明の開示】
【発明が解決しようとする課題】
【０００８】
上記特許文献１〜３の椎茸栽培方法によれば、菌床の上面に椎茸を集中的に発生させることが可能になる。しかしながら、これらの栽培方法では、菌床の上面に椎茸を集中的に発生させることができるが、この上面において茸発生の部位を特定させることができない。そのため、菌床上面において茸は所かまわずランダムに発生し、この上面において従来技術が抱える問題が発生する。
【０００９】
また、上記特許文献１〜３の椎茸栽培方法は、管理及び作業が面倒になるなど課題が潜在している。上記特許文献１の栽培方法では穴あけ作業、上記特許文献２の栽培方法では回数の多い注水作業、さらに上記特許文献３では菌床の移し替え用の容器の設置及び移し替え作業などの各種作業が必要になる。このような作業は、その殆どが手作業となるので自動化が難しく、しかも菌床数が多くなると、それに比例して人件費も増大し、茸のコストが高くなる。茸の人工栽培では、通常、人件費が他の費用、例えば、菌床製造費などと比べて高額になり、全体の略半分に近い割合を占めている。そのために、人件費の軽減が課題の一つとなっている。また、上記特許文献２の栽培方法では、注水により菌床を入れた袋上部が広がりすぎることがあるので、この部分にバンドなどの取付けが必要となり、この作業も手作業となる。さらに、培養後期になると菌床上面や袋との菌床間の水没していない部分にキノコバエ、ダニなどの害虫が発生しやすく、食害を引起すなどの課題がある。
【００１０】
菌床栽培は、茸の発生、成長に好適な環境を如何にして作りだすかが重要になる。この栽培環境は、原木栽培時に最も効率よく発生、成長する自然環境に似た環境を人工的に作りだすことにある。上記特許文献１〜３の栽培方法では、空気或いは水によって上面栽培を可能としている。しかしながらこれらの栽培方法では、上面栽培は可能となっても菌床上面において茸の発生部位を特定できない。
【００１１】
そこで、本発明者は、栽培環境は、上記特許文献１〜３にみられるように空気及び水だけでなく光も重要な要素になることに着目して検討した。すなわち、光のうち紫外線は、原基の形成、すなわち菌糸体の成長に有害であることから、この成長過程では不要となるが、茸の発生と成長には必要となることから、培養容器を工夫しこの容器に所定のタイミングで光を照射すれば原基の形成、すなわち茸の発生部位を特定することができることを見出して、本発明を完成させるに至ったものである。
そこで、本発明の目的は、茸の発生部位を特定できる培地カバーシート及びこの培地カバートを備えた栽培容器並びに培地カバーシート又は栽培容器を使用した茸栽培方法を提供することにある。
【課題を解決するための手段】
【００１２】
上記目的を達成するために、請求項１に記載の培地カバーシートは、培地の表面を覆う培地カバーシートであって、前記培地カバーシートは、光不透過又は光透過率の低いシート材からなり、前記シート材に複数個の開孔が形成されていることを特徴とする。
【００１３】
請求項２の発明は、請求項１に記載の培地カバーシートにおいて、前記開孔は、所定の規則性を持って配列されていることを特徴とする。
【００１４】
請求項３の発明は、請求項１又は２に記載の培地カバーシートにおいて、前記開孔は、茸の種類に対応して大きさが変更されていることを特徴とする。
【００１５】
請求項４の発明は、請求項１に記載の培地カバーシートにおいて、前記シート材は、培地に固定する固定手段が設けられていることを特徴とする。
【００１６】
請求項５の発明は、請求項１〜４のいずれかに記載の培地カバーシートにおいて、前記シート材は、薄肉のフィルム状シート又は所定の肉厚を有する板状体で形成されていることを特徴とする。
【００１７】
請求項６の発明は、請求項１〜５のいずれかに記載の培地カバーシートにおいて、前記シート材は、樹脂フィルム、不織布、紙材、木材のいずれかで形成されていることを特徴とする。
【００１８】
請求項７に記載の栽培容器は、の発明は、請求項１〜６のいずれかに記載の培地カバーシートを備えた透過性材料からなることを特徴とする。
【００１９】
請求項８に記載の茸栽培方法は、請求項１〜６のいずれかに記載の培地カバーシートを使用して、前記培地カバーシートで培地床の表面を覆った後に、定法の殺菌又は滅菌、接種、培養の工程を経て菌床を作成して、茸を栽培することを特徴とする。
【００２０】
請求項９に記載の茸栽培方法は、請求項７に記載の栽培容器に、培地を充填して、前記培地の表面を前記培地カバーシートで覆った後に、定法の殺菌又は滅菌、接種、培養の工程を経て菌床を作成して、茸を栽培することを特徴とする。
【発明の効果】
【００２１】
本発明は上記構成を備えることにより以下に示すような優れた効果を奏する。すなわち、請求項１の発明によれば、培地カバーシートは茸の発生部位を特定できる茸栽培に利用できる。すなわち、この培地カバーシートは、複数個の開孔を設けた光不透過又は光透過率の低いシートで形成されているので、例えば、椎茸を栽培する際に、このカバーシートで培地床の表面を覆うと、茸原基の形成に必要な光は、開孔から露出した培地に当り、他の部分には当らないので、光が当らない箇所は原基の形成が抑制され、光が当った開孔から露出した培地は原基の形成が促進されて、この開孔を設けた箇所が茸の発生部位となる。したがって、複数個の開孔を所定の間隔で配列することによって、個々の茸がバランスよく発生して、管理が容易になり品質の高い茸の生産が可能になる。また、培地は、培地カバーシートで覆われるので、培地表面が乾燥し難くなり、培地は、湿度を充分に保持した環境で熟成されるので、良好な菌床が作成されて高品質の茸を生産できる。さらに、この培地カバーシートは、光不透過又は光透過率の低い材料からなるシート材に開孔を設けたものなので、簡単に作成できる。
【００２２】
請求項２の発明によれば、開孔を所定の規則性、例えば格子状の仮想線を設定して、これらの仮想線がクロスする箇所にそれぞれ配列すると、この配列にしたがって原基形成がされるので、発生する茸が衝突することなく、バランスを考慮した生産が可能になる。
【００２３】
請求項３の発明によれば、開孔は、茸の種類に対応して大きさが変更されるので、茸の種類に応じて、効率のよい栽培が可能になる。例えば、椎茸栽培の場合、円形開孔の直径を１．００〜５．００ｍｍの範囲にするのが好ましい。５．０ｍｍ以上にすると、１つの開孔から複数個の椎茸が発生し、そのまま生育すると品質が低下し、一方で一部を残して除去しようとするとその作業が必要になる。また、他の茸、例えば、舞茸、ナメコ茸などの場合は、比較的大きくするのが好ましい。
【００２４】
請求項４の発明によれば、培地カバーシートで培地表面を覆うとき、折れ曲がらず、培地表面から浮いたりしないようにすることが重要になるが、固定手段を設けることによって、培地上面に培地カバーシートを密着させて固定することが可能になる。例えば、固定手段に糊剤を用いることによって、簡単に培地上面に培地カバーシートを密着させて固定することができる。
【００２５】
請求項５の発明によれば、シート材は、薄肉のフィルム状シート又は所定の肉厚を有する板状体で形成されているので、特に、板状体にすることにより、耐久性が増し再利用が可能となる。
【００２６】
請求項６の発明によれば、樹脂フィルム、不織布、紙材及び木材などは入手が簡単なので、培地カバーを低価格で簡単に作成できる。
【００２７】
請求項７の発明によれば、透過性材料からなる栽培容器と培地カバーシートとを組合せることによって、菌床上面で茸の発生部位を特定させて栽培することが可能になる。
【００２８】
請求項８の発明によれば、培地カバーシートを使用することにより、茸の発生部位を特定させて茸を栽培することができる。
【００２９】
請求項９の発明によれば、光透過性材料からなる栽培容器と培地カバーシートとを組合せることによって、菌床上面で茸の発生部位を特定させて栽培することが可能になる。
【発明を実施するための最良の形態】
【００３０】
以下、図面を参照して本発明の最良の実施形態を説明する。但し、以下に示す実施形態は、本発明の技術思想を具体化するための培地カバーシート及びこの培地カバーシートを備えた栽培容器並びに培地カバーシート又は栽培容器を使用した茸栽培方法を例示するものであって、本発明をこれらに特定することを意図するものではなく、特許請求の範囲に含まれるその他の実施形態のものも等しく適応し得るものである。
【実施例１】
【００３１】
図１を参照して、本発明の実施形態に係る培地カバーシートを説明する。なお、図１は培地カバーシートを示し、図１Ａは培地カバーシートの平面図、図１Ｂは図１の１Ｂ部分の拡大図である。図２は培地床を作る容器を示し、図２Ａは容器の斜視図、図２Ｂは容器内に培地が詰められて上面が培地カバーシートで覆われた斜視図である。
培地カバーシート１は、図１に示すように、光不透過又は光透過率の低い材料からなる所定大きさのシート材からなり、このシート材に複数個の開孔２が所定の規則性をもって形成された構成を有している。その素材は、ポリエチレンなどの合成樹脂製フィルム或いは生分解性フィルムや光触媒性フィルムからなり、その肉厚は、例えば１０〜１００μｍである。これらの素材は、光不透過又は光透過率が低くなるように加工処理されている。
【００３２】
光透過率を低下させるには、透明なポリエチレンなどの合成樹脂製フィルム材に黒の顔料を５％以上混入したものが好ましい。これ以下、例えば１％程度にすると、部位特定の効果が少なくなる。この程度の顔料を混入により、材料費を低下させることができる。また、生分解性フィルム材を使用すると、使用済みのシートは、そのまま放置或いは土へ埋設して処分することが可能になる。なお、培地カバーシートは、上記のものに限定されるものではなく、他の材料、例えば不織布、紙材などでもよい。不織布で形成すると通気性を持たせることが可能になる。また、この培地カバーシートは、肉薄のシートだけでなく、所定の肉厚、例えば肉厚が１．００〜５．００ｍｍの板状体で形成してもよい。板状材は木材でもよい。板状材で形成すると耐久性が増し再使用が可能になる。
【００３３】
この培地カバーシート１は、任意形状の培地床の表面を覆う大きさに形成されている。以下、矩形状のシートについて説明する。
【００３４】
この培地カバーシート１は、所定の長さＬ及び幅長Ｗを有する矩形状になっている。このカバーシート１には、複数個の開孔２が所定の規則性をもって形成されている。この規則性は、開孔が形成された箇所が茸の発生部位となるので、少なくとも発生した茸が成長した状態で互いにぶつかり合わない間隔、或いは茸を大きく成長させることなどを考慮して配列される。１例として、所定の間隔をあけた縦横の仮想格子線を設けてこれらの格子線が交差する箇所に所定大きさの開孔を形成する。この開孔２は、所定の直径を有する略円形状をなしている。この開孔２の大きさは、茸の種類によって決定される。例えば、椎茸の場合は、円形開孔の直径が１．００ｍｍ〜５．０ｍｍ程度が好ましい。５．０ｍｍを超えると、開孔から複数本の椎茸が発生する率が高くなる。また、その他の茸、舞茸、ナメコ茸などは開孔が大きく形成される。
【００３５】
培地カバーシート１は、その裏面に培地に固定する手段３が設けられている。この固定手段には、例えば糊剤を用いる。この固定手段により、培地との間の隙間を少なくして培地に密着させることができる。
【００３６】
培地床は、比較的浅底の箱型容器４を使用して作成される。この箱型容器４は、全体が長さＬ'、幅長Ｗ'及び高さＨを有し、カバーシートとは、Ｌ>Ｌ'、Ｗ>Ｗ'の関係にあり、カバーシートより若干小さくなっている。すなわち、この箱型容器４は、所定大きさの底部４ａと、この底部の周囲から所定高さに立設された側壁４ｂ〜４ｃと有し、上方が開口した細長の容器からなり、合成樹脂成型体で形成されている。底部４ａには、水抜孔（図示省略）が形成されている。側壁は、対向する横幅の短い側壁４ｂ、４ｂ及び横幅の長い側壁４ｃ、４ｃ'で形成されている。この箱型容器４に培地を詰めて、開口をカバーシートで覆うことによって、培地床が形成される。なお、培地床の形成は、このような容器に限定されず、任意の形状の容器或いは枠体などでもよい。
【００３７】
この培地カバーシートは、上記の構成を有するが、箱型容器４に詰めた培地床の表面を覆うことによって、茸発生部位を特定ができる。例えば、椎茸を栽培する際に、この
培地カバーシートで培地床の表面を覆うと、茸原基の形成に必要な光は、開孔から露出した培地に当り、他の部分には当らない。このため光が当らない箇所は原基の形成が抑制され、光が当る開孔から露出した培地は原基の形成が促進されて、この開孔を設けた箇所が最初に発生する発生部位となる。したがって、複数個の開孔を所定の間隔で配列することによって、個々の茸がバランスよく発生して、管理が容易になり品質の高い茸の生産が可能になる。また、培地床は、培地カバーシートで覆われるので、培地表面が乾燥し難くなり、培地床は、湿度を充分に保持した環境で熟成されるので、良好な菌床が作成されて高品質の茸を生産できる。さらに、この培地カバーシートは、光不透過又は光透過率の低い材料からなるシート材に開孔を設けたものなので簡単に作成できる。
【００３８】
次に、図３を参照して、この培地カバーシートを使用した椎茸栽培方法を説明する。なお、図３は椎茸栽培の工程図である。
まず、所定量のおがこに、栄養体として米ぬかを混合して、所定量の水を加えて培地調整を行う（工程I）。調整された培地を箱型容器４に詰めて培地床を作成する（工程II）。この培地床の上面を培地カバーシート１で覆う（図２Ａ参照）。この工程では、培地上面で折れ曲がったり或いは浮いたりしないように培地に密着するように固定する。この固定は、糊剤３を培地に貼着することによって行う。次いで、この箱型容器ごと高圧釜内に入れて加殺菌又は滅菌する。殺菌又は滅菌を行った後に、冷却する（工程III、IV）。
その後、クリーンルームへ搬送して、このクリーンルーム内で培地カバーシートの上から椎茸の種菌を接種する（工程Ｖ）。この接種により、椎茸の種菌は、カバーシートの開孔２から培地の中へ接種される。
【００３９】
次いで、所定の培養室へ搬送し、この培養室で培養を行う。この培養は、初期培養（工程IV）と熟成培養（工程Ｖ）に分けて実施する。初期培養では、光を照射することなく略暗黒の状態で菌糸培養に適した環境、例えば、室温１８〜２０℃と湿度６０％に保持して種菌を生育・増殖させる。この期間は略３０日程度である。その後の熟成培養では、熟成培養に適した環境（例えば温度２０〜２３℃）、特に所定の光を照射して、略６０日〜７０日掛けて培地に栄養蓄積を行う。この工程において、培地床内に菌糸が繁殖し始めるが、この培地床は、開孔を除く全ての箇所が光の透過がし難くなっているので、茸を発生させる原基は、まず開孔部分に形成される。すなわち、光は、開孔から露出した培地に当り、他の箇所には当らないので、光が当らない箇所では原基の形成が抑制され、光が当った開孔から露出した培地には原基の形成が促進されて、この開孔を設けた箇所は褐色に変色し茸発生部位となる。なお、光が当らない箇所は、白っぽくなっている。また、培養期間中は、菌床上面が培地カバーシートで覆われているので、培地床は湿度が保たれ、培地は、湿度を充分に保持した環境で熟成されるので、良好な菌床が作成されて高品質の茸を生産できる。また、培地は、培地カバーシートで覆われるので、培地表面が乾燥し難くなり、培地は、湿度を充分に保持した環境で熟成されるので、良好な菌床が作成される。
【００４０】
熟成培養が終了した後に、培地カバーシート１を取外して茸の発生をさせる（工程VI）。
この発生工程では、原基形成が促進された箇所からいち早く最初の茸が発生し、育成されて収穫される。すなわち、初回の発生は、発生部位が特定された箇所から発生する。その初回の収穫量は、全体の収穫量の約半分以上となる。また、この工程において、培地カバーシートが除去された直後は、培地カバーシートで密着していた培地床の表面が白っぽい状態となっているが、光の照射によって徐々に褐色化して、茸が発生する。しかしながら、これらの発生は２回目、３回目以降のものとなり、回が進むにしたがって収穫量が減少する。
【００４１】
この培地カバーシートを使用した椎茸栽培方法は、初回の発生で椎茸の発生部位を特定
するので、個々の椎茸をバランスよく発生・育成することが可能になり、品質の高い椎茸を初回で、全収穫量の５０％以上収穫できる。
【００４２】
また、この培地カバーシートは、小型な栽培袋と組合せて使用することができる。
図４、図５を参照して、この培地カバーシートを栽培袋に使用した茸栽培方法を説明すする。なお、図４Ａは培地カバーシートで栽培袋の培地表面を覆った栽培袋の斜視図、図４Ｂは培地カバーシートの平面図である。図５は茸栽培の工程図である。
栽培袋５は、図４Ａに示すように、所定の長さ及び幅長を有する矩形状の底部と、この底部の外周囲から上方へ所定の高さ立設した側壁とを有し側壁の上端が開口されている。この栽培袋５は、培地が充填される充填部５Ａと充填部の上方にあって空間とされる空間部５Ｂとに区分されて使用されるものであって、全体が光透過性のフィルム材で形成されている。空間部５Ｂには、その壁面に、雑菌の侵入を阻止し且つ通気性のある複数個の微細孔を有するフィルタ６が固定されている。
【００４３】
一方、培地カバーシート１Ａは、図４Ｂに示すように、栽培袋と略同じ長さ及び幅長を有する矩形状に分断したものが使用される。このカバーシート１Ａは、栽培袋５の充填部５Ａに詰められた培地表面を覆って使用される。以下、この培地カバーシートを栽培袋に使用した茸栽培の工程を説明する。
まず、所定量のおがこに、栄養体として米ぬかを混合して、所定量の水を加えて培地調整を行う（工程I）。調整された培地を栽培袋１の充填部５Ａまで充填する（工程II）。次いで、この培地の上面を培地カバーシート１Ａで覆う（図４Ａ参照）。このとき、培地カバーシート１Ａが培地上面で折れ曲がったり或いは浮いたりしないように培地に密着するように固定手段（糊剤）で固定する。その後、この栽培袋５の上端の開口を仮止めして、栽培袋５ごと高圧釜に入れて殺菌又は滅菌する（工程III）。殺菌をした後に冷却する（工程IV）。その後、クリーンルームへ搬送して、このクリーンルーム内で栽培袋５の上端開口を開放して椎茸の種菌を接種する（工程Ｖ）。この接種により、椎茸の種菌は、培地カバーシートの開孔２から培地の中へ接種される。
【００４４】
次いで、所定の培養室へ搬送し、この培養室で培養を行う。この培養は、初期培養（工程VI）と熟成培養（工程VII）に分けて実施する。初期培養では、光を照射することなく略暗黒の状態で菌糸培養に適した環境、例えば、室温１８〜２０℃と湿度６０％に保持して種菌を生育・増殖させる。この期間は略３０日程度である。その後の熟成培養では、熟成培養に適した環境、温度２０〜２３℃で、特に所定の光を照射して、略６０日〜７０日掛けて培地に栄養蓄積を行う。なお、このとき、充填部５Ａの外周囲に光を照射させないのが好ましい。そして、この工程において、培地内に菌糸が繁殖し始めるが、茸を発生させる原基は、培地表面にあってまず開孔部分に形成される。すなわち、光は、開孔２から露出した培地に当り、他の箇所には当らないので、光が当らない箇所では原基の形成が抑制され、光が当った開孔から露出した培地には原基の形成が促進されて、この開孔を設けた箇所は褐色に変色し茸発生部位となる。なお、光が当らない箇所は、白っぽくなっている。また、培養期間中は、菌床上面が培地カバーで覆われているので、培地床は湿度が保たれ、培地は、湿度を充分に保持した環境で熟成される。
【００４５】
熟成培養が終了した後に、栽培袋及び培地カバーを取外して茸の発生をさせる（工程VIII）。この発生工程では、原基形成が促進された箇所からいち早く最初の茸が発生し、育成されて収穫される。すなわち、初回の発生は、発生部位が特定された上面から発生する。その初回の収穫量は、全体の収穫量の約半分以上となる。その後、表面以外の箇所からも茸が発生するが、これらの発生は２回目、３回目以降のものとなり、回が進むにしたがって収穫量が減少する。
【００４６】
栽培袋に培地カバーシートを使用した椎茸栽培方法は、初回の発生で椎茸の発生部位を特定するので、個々の椎茸をバランスよく発生・育成することが可能になり、品質の高い椎茸を初回で、全収穫量の５０％以上が収穫できる。
【００４７】
以上の培地カバーシートでは、椎茸栽培に適用した例を説明したが、このカバーシートは、椎茸栽培に限定されるものでなく、他の茸、例えば舞茸、なめこ茸などにも適用できるものである。
【図面の簡単な説明】
【００４８】
【図１】図１は培地カバーシートを示し、図１Ａは培地カバーシートの平面図、図１Ｂは図１Ａの１Ｂ部分の拡大図である。
【図２】図２は培地床を示し、図２Ａは培地床を作成する容器の斜視図、図２Ｂは容器内に培地が詰められて上面が培地カバーシートで覆われた斜視図である。
【図３】図３は図１の培地カバーシートを使用した茸栽培の工程図である。
【図４】図４は栽培袋を示し、図４Ａは栽培袋の培地表面を培地カバーシートで覆った栽培袋の斜視図、図４Ｂは培地カバーシートの平面図である。
【図５】図５は培地カバーシートを栽培袋に使用した茸栽培の工程図である。
【符号の説明】
【００４９】
１、１Ａ  培地カバーシート
２  開孔
３  固定手段
４  容器
５  栽培袋
６  フィルタ
【図１】
2010000058.tif 000003
【図２】
2010000058.tif 000004
【図３】
2010000058.tif 000005
【図４】
2010000058.tif 000006
【図５】
2010000058.tif 000007